(57)【特許請求の範囲】
【請求項１】
液晶表示装置に配設された光源の光を液晶表示素子に照射させる略矩形状に形成された導光体の上面縁部に、その形成辺に対向する辺方向に尖端部を突出させる三角柱状の係合凸部を形成するとともに、前記液晶表示装置の非表示領域を被覆する外形略矩形の枠状に形成されたブラックマスクシートに、前記係合凸部の尖端部と等しい角度の尖端部を有する三角形状であって前記係合凸部に係合可能とされた係合凹部を切欠き形成したことを特徴とする液晶表示装置の実装構造。
【請求項２】
前記係合凸部は前記導光体の少なくとも異なる２辺の縁部に形成し、前記係合凹部は前記ブラックマスクシートの少なくとも異なる２辺の縁部に形成したことを特徴とする請求項１に記載の液晶表示装置の実装構造。
【請求項３】
前記係合凸部の尖端部および前記係合凹部の尖端部の角度は、４５°〜９０°の範囲としたことを特徴とする請求項１または請求項２に記載の液晶表示装置の実装構造。
【発明の詳細な説明】
【０００１】
【発明の属する技術分野】
本発明はバックライトを配設したバックライト一体型の液晶表示装置の実装構造に係り、特に、導光体とブラックマスクシートとの位置合わせに特徴を有する液晶表示装置の実装構造に関する。
【０００２】
【従来の技術】
まず、従来の液晶表示装置の構成の一例を図３乃至図５をもって説明する。
【０００３】
図３は、液晶表示装置に搭載されるカラー表示可能な液晶表示素子１０を示すものであり、間隔を隔ててほぼ平行に配置された２枚の透明基板１Ａ，１Ｂを有している。これらの両透明基板１Ａ，１Ｂ間の外周はシール材２により密閉されており、上方に位置する一方の透明基板１Ａの下面には、透明共通電極３Ａが密着するように配設されている。また、この透明共通電極３Ａの下方には、液晶表示素子１０の非表示部分を覆うように遮光膜４が配置されている。
【０００４】
前記遮光膜４の下方には、電極間に印加される電圧に応じて液晶分子の配向を制御する配向膜６Ａが密着するように配設されており、さらに、前記透明基板１Ａの上面には偏光板７Ａが配設されている。
【０００５】
一方、下方に位置する前記透明基板１Ｂの上面には、透明セグメント電極３Ｂが配置されている。この透明セグメント電極３Ｂの上方にはカラーフィルタ膜５が配置されており、このカラーフィルタ膜５の上方には配向膜６Ｂが密着するように配設されている。さらに、前記透明基板１Ｂの下面には偏光板７Ｂが配設されている。
【０００６】
そして、前記両透明基板１Ａ，１Ｂおよびシール材２により囲繞された密閉空間内には液晶８が封入され、前記両配向膜６Ａ，６Ｂ間に介装された複数の球状あるいは柱状のスペーサ９により、両透明基板１Ａ，１Ｂは一定の間隔をもって保持されている。
【０００７】
なお、前記透明基板１Ｂの上面の透明セグメント電極３Ｂは、前記シール材２などに含有されている導電性部材（図示せず）などを介して前記透明基板１Ａの下面上に導出されており、この透明基板１Ａの下面の図１における右端部には、各電極３Ａ，３Ｂの各リード端子３Ｃが形成されている。
【０００８】
一方、図４に示す可撓配線基板１１のベースフィルム１２上には電気回路１３が形成されており、この電気回路の端部に形成されている図示しないリード端子に前記各電極３Ａ，３Ｂの各リード端子３Ｃが接続されている。また、前記可撓配線基板１１の電気回路１３には、前記液晶表示素子１０の制御を行うＬＳＩ１４が接続されている。そして、この可撓配線基板１１は、液晶表示装置の平面積を減少するため、彎曲部１５を形成されたうえで、図４に示すように前記液晶表示素子１０の下方にまで延在しており、液晶表示素子１０の下方に位置する剛性を有する電源側配線基板１６と電気的に接続されている。
【０００９】
ところで、バックライト一体型液晶表示装置においては、前記液晶表示素子１０と対向する電源側配線基板１６の上面の一端部には、発光ダイオード、蛍光ランプなどのバックライトの光源１７が支持されている。
【００１０】
また、前記電源側配線基板１６の上面には略矩形状とされたアクリルなどの材料からなる導光板１８とこの導光板１８を支承するガイド枠１９とを有する導光体２０が搭載されており、実装時において、この導光体２０端面の側方に、前記光源１７が位置するようになされている。また、図４に示す液晶表示装置においては、前記導光板１８の上面には複数枚のプリズムシート２１が配設されており、前記導光板１８、ガイド枠１９とともに、前記導光体２０を構成している。
【００１１】
そして、前記導光体２０の上面には、当該液晶表示装置において、前記液晶表示素子１０の表示領域を囲繞する枠状に形成され、非表示領域を被覆する黒色のブラックマスクシート２２が配設されており、このブラックマスクシート２２の上方に、前記液晶表示素子１０が配設され、固定されている。
【００１２】
【発明が解決しようとする課題】
ところで、従来において、液晶表示装置の実装時の前記導光体２０とブラックマスクシート２２との位置合わせは、例えば、図５に示すように、導光体２０の４つの隅部に円柱状の突起２３を形成するとともに、また、前記ブラックマスクシート２２の４つの隅部には前記突起２３と略同径の内径を有し突起２３を嵌合させる円形の係合孔２４を形成し、前記突起２３を係合孔２４に嵌合させることで位置合わせを行うようにしていた。
【００１３】
しかしながら、この方法では、いかに前記突起２３の外形と前記係合孔２４の内径とを等しくしようとしても突起２３を係合孔２４に嵌合させる許容値（公差）が必要となるため、係合孔２４の内径を突起２３の外径より大きく設計せざるを得ない。そのため、図５中矢印で示すように、前記係合孔２４の中において円柱状の前記突起２３が移動可能なため、その位置が定まらない。従って、前記ブラックマスクシート２２が前記導光体２０に対して本来の位置からずれて配置された状態において固定されてしまうこととなる。この結果として、当該液晶表示装置の表示領域内に前記ブラックマスクシート２２の一部が露出して、表示領域面積を狭くしてしまったり、あるいは、前記表示領域内に当該液晶表示装置の非表示領域部分からの光が入り込み、一部分だけ過度に明るく表示されてしまうという不具合を発生させたりする原因となっていた。
【００１４】
本発明はこのような問題点に鑑みてなされたものであり、ブラックマスクシートの導光体に対する位置決めを適切に行うことにより、ブラックマスクシートによる非表示領域と表示領域との区画を正しく行ない、良好な液晶表示を実現することができる液晶表示装置の実装構造を提供することを目的とするものである。
【００１５】
【課題を解決するための手段】
前述した目的を達成するため、本発明の液晶表示装置の実装構造は、液晶表示装置に配設された光源の光を液晶表示素子に照射させる略矩形状に形成された導光体の上面縁部に、その形成辺に対向する辺方向に尖端部を突出させる三角柱状の係合凸部を形成するとともに、前記液晶表示装置の非表示領域を被覆する外形略矩形の枠状に形成されたブラックマスクシートに、前記係合凸部の尖端部と等しい角度の尖端部を有する三角形状であって前記係合凸部に係合可能とされた係合凹部を切欠き形成したことを特徴とするものである。
【００１６】
本発明によれば、角度を等しく形成された前記係合凸部の尖端と係合凹部の尖端部とを密に係合させることができる。
【００１７】
また、本発明の請求項２に記載の液晶表示装置の実装構造は、前記請求項１に記載の液晶表示装置の実装構造であって、前記係合凸部は前記導光体の少なくとも異なる２辺の縁部に形成し、前記係合凹部は前記ブラックマスクシートの少なくとも異なる２辺の縁部に形成することを特徴とするものである。
【００１８】
本発明によれば、少なくとも異なる２辺の縁部に形成された前記係合凸部に前記係合凹部を係合させることにより、前記係合凸部の尖端と係合凹部の尖端部とを角度を等しく形成したことと相俟って、前記導光体とブラックマスクシートとの間の位置ズレを完全に防止することができる。
【００１９】
さらに、本発明の請求項３に記載の液晶表示装置の実装構造は、請求項１または請求項２に記載の液晶表示装置の実装構造であって、前記係合凸部の尖端部および前記係合凹部の尖端部の角度は、４５°〜９０°の範囲としたことを特徴とするものである。
【００２０】
本発明によれば、実装の際に、前記係合凹部の内角の頂点に光を集中させることができるので前記係合凸部と係合凹部との係合作業をし易いものとすることができ、また、前記前記導光体導光体とブラックマスクシートとの間の位置ズレをより完全に防止することができる。
【００２１】
【発明の実施の形態】
以下、本発明の実施形態を図１および図２を参照して説明する。
【００２２】
なお、本実施形態は液晶表示装置の実装構造における導光体２０とブラックマスクシート２２との位置合わせに関するものであり、液晶表示装置の前記導光体２０およびブラックマスクシート２２以外の部材の構造および実装の仕方は前述の従来の実装構造によるものとして説明を省略する。また、前述の従来例と同様の部材については同一の符号を付して説明する。
【００２３】
本実施形態において、前記導光体２０の上面２０Ａの縁部、即ち、前記液晶表示素子１０に対向する面の縁部には、前記導光体２０の端面２０Ｂに平行する一側面２５Ａを有する三角柱状の係合凸部２５が形成されている。詳しくは、本実施形態においては、前記係合凸部２５は前記導光体２０を構成するガイド枠１９の少なくとも異なる２辺の縁部に形成することとし、本実施形態においては、前記導光体２０のガイド枠１９を構成する一対の対向辺の両隅に、それぞれ対向する辺方向に尖端部２５Ｂを突出させるようにして形成されている。よって、本実施形態においては、図１に示すように、前記導光体２０の４つの隅部に前記係合凸部２５が形成されていることとなる。その際、前記尖端部２５Ｂを構成する前記一側面２５Ａの対向角、つまり前記尖端部２５Ｂは鋭角に、好ましくは４５°〜９０°の範囲に形成する。本実施形態においては６０°に形成した。
【００２４】
また、外形略矩形の枠状に形成された前記ブラックマスクシート２２には、前記係合凸部２５の平面形状と同形の三角形状とされ、前記係合凸部２５に係合可能とされた係合凹部２６を切欠き形成されている。つまり、前記係合凹部２６はブラックマスクシート２２の外辺の少なくとも異なる２辺縁部に形成されることとなる。本実施形態においては、前記ブラックマスクシート２２の一対の対向辺の両隅に、それぞれ前記対向する辺方向に尖端部２６Ｂを突出させるようにして切欠き形成されている。
【００２５】
その際、切欠き形成された係合凹部２６の尖端部２６Ｂの内角は、三角柱状に形成された前記係合凸部２５を構成する前記一側面２５Ａの対向角（前記尖端部２５Ｂの角度）と等しくなるように形成する。つまり、鋭角であって、好ましくは４５°〜９０°の範囲に形成されることとなる。
【００２６】
そして、液晶表示装置の実装時においては、前述のように構成された導光体２０の各係合凸部２５に対し、ブラックマスクシート２２の対応する係合凹部２６を、前記係合凸部２５および係合凹部２６のそれぞれの前記尖端部２５Ｂ，２６Ｂを合わせるようにして係合させることで、前記導光体２０とブラックマスクシート２２との位置合わせを行う。
【００２７】
その際、本実施形態においては、前記係合凸部２５の平面形状および係合凹部２６の形状を同形の三角形状とし、さらに、前記導光体２０のガイド枠１９の１組の対向辺に形成したので、前記係合凸部２５と係合凹部２６とを密に係合させることにより前記導光体２０とブラックマスクシート２２との位置関係を規制することができるので、従来のような前記係合凸部２５と係合凹部２６との係合不良に原因を発する位置ズレが発生することを防止することができる。
【００２８】
なお、前記導光体２０とブラックマスクシート２２との間の位置ズレは、前記係合凸部２５および係合凹部２６の平面形状を三角形状としたことと相俟って、前記係合凸部２５を前記導光体２０の少なくとも異なる２辺の隅部に形成することで、完全に防止することができる。
【００２９】
また、本実施形態においては、前記係合凸部２５および係合凹部２６の前記尖端部２５Ｂ，２６Ｂを鋭角の６０°に形成したことで、実装の際に、前記係合凹部２６の内角の頂点部分に光を集中させることができる。よって、前記係合凸部２５と係合凹部２６とを視認し易くなり、その位置合わせの作業を簡単に行なうことができ、その精度も向上させることができるものとなる。
【００３０】
なお、前記尖端部２５Ｂ，２６Ｂの角度は、鈍角とすれば、前記尖端部２５Ｂ，２６Ｂを構成する２つの辺の拡開方向に位置ズレが生じ易くなり、また、過度に鋭角にすると、前記係合凸部２５と係合凹部２６とを係合させる作業が困難になるため、前述のような効果を得るためには、４５°〜９０°の範囲の角度が好適な角度であるといえる。
【００３１】
なお、本発明は、前述した実施の形態に限定されるものではなく、必要に応じて種々の変更が可能である。
【００３２】
例えば、前記実施形態においては、前記導光体２０を、いわゆる導光板１８と、ガイド枠１９、そしてプリズムシート２１とから構成したが、導光体２０の必須の構成要素は導光板１８のみであり、いわゆる導光板１８の縁部に前記係合凸部２５を形成するような構成とすることも可能である。なお、プリズムシート２１を配設する場合、その枚数は本実施形態の３枚に限らず、１枚であってもよい。
【００３３】
また、前述のように、前記ブラックマスクシート２２はその下面には前記導光体２０、詳しくは導光体２０のガイド枠１９が貼設され、その上面には前述の構成の液晶表示素子１０、詳しくは偏光板７Ｂの下面が配設されて固定されることとなる。よって、前記ブラックマスクシート２２の上下両面に、予め両面テープ等の接着部材を貼設しておき、実装の際には、前記ブラックマスクシート２２と導光体２０および液晶表示素子１０との固定配設の作業を容易に行えるように構成してもよい。
【００３４】
さらに、前記係合凸部２５および係合凹部２６の配設位置も、前述の実施形態の配設位置に限られないことは言うまでもなく、図２に、前述の実施形態と異なる位置に前記係合凹部２６を形成した場合のブラックマスクシート２２の例を示しておく。
【００３５】
【発明の効果】
以上説明したように、本発明によれば、ブラックマスクシートの導光体に対する位置ズレの問題を解消して、当該液晶表示装置における非表示領域を適切に前記ブラックマスクシートで被覆することができ、その表示領域において一定の表示品位を得ることができる液晶表示装置を簡単に製造することができる。
【図面の簡単な説明】
【図１】  本発明の導光体とブラックマスクシートとの位置決めを伴う実装構造を説明するための液晶表示装置の要部分解斜視図
【図２】  図１の実施形態と異なる位置に係合凹部を形成したブラックマスクシートの一例を示す平面図
【図３】  カラー液晶表示素子の構造の一例を示す断面図
【図４】  図３の液晶表示素子を実装した液晶表示装置一例を示す断面図
【図５】  従来の導光体とブラックマスクシートとの位置決めにおける問題点を示す説明図
【符号の説明】
１０  液晶表示素子
１１  可撓配線基板
１２  ベースフィルム
１３  電気回路
１５  彎曲部
１６  電極側配線基板
１７  光源
１８  導光板
１９  ガイド枠
２０  導光体
２０Ａ  上面
２０Ｂ  端面
２１  プリズムシート
２２  ブラックマスクシート
２３  突起
２４  係合孔
２５  係合凸部
２５Ａ  一側面
２５Ｂ  尖端部
２６  係合凹部
２６Ｂ  尖端部
【図１】
0004659960.tif 000002
【図２】
0004659960.tif 000003
【図３】
0004659960.tif 000004
【図４】
0004659960.tif 000005
【図５】
0004659960.tif 000006